(57)【要約】ドライバ（ＤＤ，ＳＤ，ＰＤ１，ＰＤ２）は、第１の発光素子（ＰＬ１）の組及び第２の発光素子（ＰＬ２）の組を有する表示パネルを駆動する。ドライバ（ＤＤ，ＳＤ，ＰＤ１，ＰＤ２）は、第１の発光素子（ＰＬ１）の組へ第１のデータ信号（ＲＤ１）の組を供給するよう第１の色を表す第１の入力画像信号（Ｒ）の組を夫々受信するデータドライバ（ＤＤ）を有する。データドライバ（ＤＤ）は、更に、第２の発光素子（ＰＬ２）の組へ第２のデータ信号（ＢＤ１）の組を供給するよう第２の色を表す第２の入力画像信号（Ｂ）の組を夫々受信する。低域通過フィルタ（ＬＰＦ）は、第１のデータ信号（ＲＤ１）の組の帯域よりも小さい帯域を有する第２のデータ信号（ＢＤ１）の組を得るよう設けられる。
2008500572.tif 000002
【特許請求の範囲】
【請求項１】
第１の発光素子の組と、第２の発光素子の組とを有する表示パネル用のドライバであって：
前記第１の発光素子の組へ第１のデータ信号の組を供給するよう第１の色を表す第１の入力画像信号の組を夫々受信し、前記第２の発光素子の組へ第２のデータ信号の組を供給するよう第２の色を表す第２の入力画像信号の組を夫々受信するためのデータ処理装置；及び
前記第１のデータ信号の組の帯域よりも小さい帯域を有する前記第２のデータ信号の組を得るための低域通過フィルタ；
を有するドライバ。
【請求項２】
前記第１の発光素子の組へ第１の電流の組を供給するよう前記第１のデータ信号の組を夫々受信するための第１の画素ドライバの組；及び
前記第２の発光素子の組へ第２の電流の組を供給するよう前記第２のデータ信号の組を夫々受信するための第２の画素ドライバの組；
を更に有し、
前記データ処理装置は、前記データ信号を供給するためのデータドライバを有し、
前記低域通過フィルタは、低域通過フィルタをかけられた画像信号の組を前記データドライバへ供給するよう前記第２の入力画像信号の組を受信するために配置される、
ことを特徴とする請求項１記載のドライバ。
【請求項３】
前記低域通過フィルタは、空間低域通過フィルタを有する、ことを特徴とする請求項１記載のドライバ。
【請求項４】
前記低域通過フィルタは、２次元空間低域通過フィルタを有する、ことを特徴とする請求項３記載のドライバ。
【請求項５】
前記低域通過フィルタは、時間低域通過フィルタを有する、ことを特徴とする請求項１記載のドライバ。
【請求項６】
前記第１の発光素子及び前記第２の発光素子は、有機発光ダイオードである、ことを特徴とする請求項１記載のドライバ。
【請求項７】
前記第１の発光素子は、赤色光を放射するよう配置され、
前記第２の発光素子は、青色光を放射するよう配置される、
ことを特徴とする請求項５記載のドライバ。
【請求項８】
高周波に引き上げられた前記第１のデータ信号の組を得るための高周波ブースティングフィルタ（ＨＰＦ）を更に有する、請求項１記載のドライバ。
【請求項９】
発光素子を有する画素を有する表示パネルと、請求項１記載のドライバとを有する表示モジュール。
【請求項１０】
請求項９記載の表示モジュールを有する表示装置。
【請求項１１】
前記表示パネルは、アクティブマトリクス電界発光表示パネルである、ことを特徴とする請求項１０記載の表示装置。
【請求項１２】
第１の発光素子の組と、第２の発光素子の組とを有する表示パネルの駆動方法であって：
前記第１の発光素子の組へ第１のデータ信号の組を供給するよう第１の色を表す第１の入力画像信号の組を夫々受信するステップ；
前記第２の発光素子の組へ第２のデータ信号の組を供給するよう第２の色を表す第２の入力画像信号の組を夫々受信するステップ；及び
前記第１のデータ信号の組の帯域よりも小さい帯域を有する前記第２のデータ信号の組を得るために低域通過フィルタをかけるステップ；
を有する方法。
【発明の詳細な説明】
【技術分野】
【０００１】
本発明は、電界発光表示パネル用のドライバと、電界発光表示パネル及びこのようなドライバを有する表示モジュールと、表示モジュールを有する表示装置と、電界発光表示装置の駆動方法とに関する。
【背景技術】
【０００２】
ＵＳ６，４４１，５６０Ｂ１は、各々電界発光表示素子及び画素駆動回路を有し、画素とも呼ばれる表示画素の配列を有するアクティブマトリクス表示装置を開示する。画素駆動回路は、アドレス指定期間の間に画素へ印加されて、画素駆動回路へ接続された蓄積容量に電圧として蓄えられる駆動信号に基づいて、表示素子を流れる電流を制御する。夫々の画素は、アドレス指定の間に表示素子によって生成された光に応答し、且つ、アドレス指定期間に、表示素子の光出力レベルに従って容量に蓄えられた電圧信号を調整するよう配置された電気光学調整回路を有する。容量での電圧信号の調整は、所与の印加駆動信号のための表示素子からの所望の光出力レベルが、配列での個々の表示素子の光出力レベル特性に対する駆動電流レベルでの起こり得る変動に関わらず十分に保たれるように、表示素子のエージングの効果を補償する。この先行技術は、エージングに一層依存しない画素の挙動を提供するが、それは、表示装置の寿命を増さない。
【特許文献１】ＵＳ６，４４１，５６０Ｂ１
【発明の開示】
【発明が解決しようとする課題】
【０００３】
本発明は、特定の色を有する発光素子の少なくとも一組のより長い寿命を得る電界発光表示装置用のドライバを提供することを目的とする。
【課題を解決するための手段】
【０００４】
本発明の第１の態様は、請求項１で請求されるようなドライバを提供する。本発明の第２の態様は、請求項９で請求されるような表示モジュールを提供する。本発明の第３の態様は、請求項１０で請求されるような表示装置を提供する。本発明の第４の態様は、請求項１２で請求されるような電界発光表示装置の駆動方法を有する。有利な実施例は、従属請求項で定義される。
【０００５】
本発明の第１の態様に従うドライバは、データドライバ及び低域通過フィルタを有する。データドライバは、第１の発光素子の組へ第１のデータ信号の組を供給するよう第１の色を表す第１の入力画像信号の組を夫々受信する。データドライバは、更に、第２の発光素子の組へ第２のデータ信号の組を供給するよう第２の他の色を表す第２の入力画像信号の組を夫々受信する。従って、例えば、第１の組の入力信号は、赤色入力信号であって、第１のデータ信号の組は、赤色発光素子へ供給される。更に、第２の組の入力信号は、青色入力信号であって、第２のデータ信号の組は、青色発光素子へ供給される。
【０００６】
低域通過フィルタは、前記第１のデータ信号の組の帯域よりも小さい帯域を有する前記第２のデータ信号の組を得るために存在する。従って、同じ例で、青色発光素子へ供給されるデータ信号の帯域は、赤色発光素子へ供給されるデータ信号の帯域に対して制限されている。低域通過フィルタの効果は、第２のデータは、更なる平均値を有しており、従って、低域通過フィルタ処理が存在しない場合には高ピークレベルがより少ない点である。結果として、第２の発光素子を流れる電流は平均化されて、第２の発光素子の寿命は増す。これは、発光素子に、それが存在する時間的な期間により、電流レベルの増加の同じ値で、より高い電流で、より速く経年劣化させる発光素子の材料の非線形なエージング作用に起因する。
【０００７】
留意すべきは、ＵＳ６，５８３，７７５Ｂ１は、画素が、発光素子へ印加される電流の量に依存する輝度値を有する発光素子を有する、アクティブマトリクス表示装置を開示する点である。発光素子は、ＯＬＥＤ（有機発光ダイオード）である。走査ライン駆動回路は、夫々の行選択期間の間に、１つずつ画素の行を選択する。データライン駆動回路は、選択された画素へデータ信号を供給する。画素は、受け取ったデータに依存して電流のレベルを決定する画素駆動回路を有する。行選択期間の開始時に、発光素子は、電流によって決定される輝度により放射し始める。行選択期間の後に、発光素子は、通常は、フレーム期間の後に、画素の同じ行が再び選択されて、新しいデータ信号が受信されるまで、この輝度により放射し続ける。また、発光素子の行は、単一の行選択期間の間にのみ光を生成することが可能である。また、この用途では、本発明に従う低域通過フィルタ処理又は平均化に起因して、ピーク電流レベルは、著しくより低くなり、表示装置の寿命は増大しうる。
【０００８】
請求項２で請求されるような本発明に従う実施例では、当該ドライバは、表示装置の前記第１の発光素子の組へ第１の電流の組を供給する第１の画素ドライバの組を有する。当該ドライバは、表示装置の前記第２の発光素子の組へ第２の電流の組を供給する第２の画素ドライバの組を更に有する。前記第１の電流の組は、前記第１のデータ信号の組によって決定され、前記第２の電流の組は、前記第２のデータ信号の組によって決定される。前記低域通過フィルタは、前記第２の入力信号の組の代わりに前記データドライバへ供給される、低域通過フィルタをかけられた画像信号の組を得るよう、前記第２の入力画像信号の組に低域通過フィルタをかける。このようにして、前記第２の入力画像信号の組の帯域は、前記第１の入力画像信号の組の帯域よりも小さくされた。結果として、前記第２の発光素子の組の輝度値は平均化されて、従って、前記第１の発光素子の組の輝度値よりも低いピーク値を有する。
【０００９】
請求項３で請求されるような本発明に従う実施例では、前記低域通過フィルタは、同じフレーム期間に少なくとも１つの隣接する画素の同じ発光素子の組のデータ信号に低域通過フィルタをかける空間低域通過フィルタである。通常は、この空間低域通過フィルタ処理又は平均化は、現在の画素のデータ信号と、少なくとも１つの空間的に隣り合う画素のデータ信号との加重和を決定することにより得られる。望ましくは、空間的に隣り合う１つ又は複数の画素は、ラインメモリが必要とされないように、同じ行にある前及び／又は後の画素である。
【００１０】
請求項４で請求されるような本発明に従う実施例では、前記低域通過フィルタは、（通常、水平方向に延在する）同じ行、且つ、（通常、現在の画素に対して垂直にオフセットされる）前及び／又は次の行にある画素のデータ信号を平均化する２次元空間低域通過フィルタである。この実施例では、少なくとも１つのラインメモリが必要とされるが、空間低域通過フィルタ処理は、電流でのピーク値を更に低減しうる。
【００１１】
請求項５で請求されるような本発明に従う実施例では、前記低域通過フィルタは、時間フィルタである。このようなフィルタは、通常、現在のデータ信号と、前の１つ若しくは複数のフィルタの同じ位置でのデータ信号及び／又は前の１つのフレーム若しくは前の複数のフレームの空間的に隣り合うデータ信号との加重和を決定する。前記時間フィルタは、１又はそれ以上のフレームメモリを有しており、前の１つのフレーム又は前の複数のフレームのデータ信号を夫々記憶する。
【００１２】
請求項６で請求されるような本発明に従う実施例では、前記発光素子は、ＯＬＥＤとも呼ばれる有機発光ダイオードである。このような高分子及び小分子有機発光ダイオードは、高品質な表示装置を作るよう新しい道を開いてきた。これらの表示装置の利点は、自発光技術、高輝度、ほぼ完璧な視野角、及び高速な応答時間である。大型の表示装置のために、アクティブマトリクス構成が、電流消費を低減するために必要とされ、小型の表示装置に関しては、パッシブマトリクスも可能である。現在のＯＬＥＤ表示装置において、青色ＯＬＥＤ材の寿命は、赤色及び緑色のＯＬＥＤ材のそれよりも一層短い。請求項７で請求されるような本発明に従う実施例では、前記低域通過フィルタ処理は、青色画素のためのデータ信号において実行される。青色のＯＬＥＤを流れる平均電流がより低くなることにより、結果的に、青色画素の寿命は増す。従って、青色画素の寿命は、赤色及び緑色の画素の寿命と更に等しくなり、表示装置の寿命は増す。留意すべきは、青色データ信号のみの低域通過フィルタ処理は、表示される画像の品質を著しくは劣化させない。人間の目は、赤色及び緑色の光に対してよりも青色の光に対して、より低い分解能を示すように見える。
【００１３】
請求項８で請求されるような本発明に従う実施例では、前記第１のデータ信号の組は、高周波ブースティングフィルタにより高周波に引き上げられる。これは、存在するならば、前記第２のデータ信号の組の比較的強い低域通過フィルタ処理によって引き起こされる分解能の低減を補償する。
【００１４】
本発明のこれら及び他の態様は、後述する実施例から明らかであり、これらの実施例を参照して説明される。
【発明を実施するための最良の形態】
【００１５】
図１は、発光素子を有する表示パネルを備えた表示装置を概略的に示す。図１は、マトリクス表示パネル１の４つの画素１０しか示していない。実際の実施では、マトリクス表示パネル１は、更に多数の画素１０を有しうる。また、画素１０がマトリクス構成で配置されないことも可能である。しかし、説明の容易のために、以下では、マトリクス表示について論じる。夫々の画素１０は、ＬＥＤとも呼ばれる発光ダイオードＰＬ１又はＰＬ２と、画素駆動回路ＰＤ１又はＰＤ２を夫々有する。ＬＥＤのＰＬ１及びＰＬ２は、例えば、無機電界発光（ＥＬ）デバイス、冷陰極、又は、高分子若しくは小分子ＬＥＤのような有機ＬＥＤであっても良い。通常、ＬＥＤのＰＬ１及びＰＬ２は、異なった色を帯びた光を放射して、多色表示を得る。全色表示では、通常は赤、緑及び青の３原色を放射する少なくとも３つの異なるＬＥＤが存在する。しかし、他の原色が用いられても良い。また、３よりも多いＬＥＤを集めて、全色表示を得ることも可能である。例えば、白又は黄のＬＥＤが加えられても良い。
【００１６】
一例として、図１では、選択電極ＳＥは行方向に延在し、データ電極ＤＥは列方向に延在する。また、選択電極ＳＥが列方向に延在し、データ電極ＤＥが行方向に延在することも可能である。電源電極ＰＥは列方向に延在する。電源電極ＰＥは、同じく行方向に延在しても良く、あるいはグリッドを形成しても良い。単一の表示ラインが更なる選択電極ＳＥを有することが可能である。
【００１７】
画素駆動回路ＰＤ１の夫々１つは、関連する選択電極ＳＥからは選択信号を、関連するデータ電極ＤＥからはデータ信号ＲＤ１を、関連する電源電極ＰＥからは電源電圧ＶＢを受け取り、その関連するＬＥＤ  ＰＬ１へ電流Ｉ１を供給する。画素駆動回路ＰＤ２の夫々１つは、その関連する選択電極ＳＥからは選択信号を、その関連するデータ電極ＤＥからはデータ信号ＢＤ１を、その関連する電源電極ＰＥからは電源電圧ＶＢを受け取り、その関連するＬＥＤ  ＰＬ２へ電流Ｉ２を供給する。画素１０の同じグループに関しては、同じ参照符号が同じ要素を示すために使用されるが、信号、電圧及びデータの値は異なっても良い。
【００１８】
選択ドライバＳＤは、選択信号を選択電極ＳＥへ供給する。データドライバＤＤは、入力画像信号ＦＲ及びＦＢを受信して、データ信号ＲＤ１及びＢＤ１をデータ電極ＤＥへ供給する。全色表示では、データドライバは、更に、データ信号ＦＧを受信して、データ信号ＧＤ１を、データ信号ＲＤ１及びＢＤ１を受信するいずれの画素とも異なる色を有する更なる画素１０（図示せず。）へ供給する。図１に示される実施例において、入力画像信号ＩＶは、入力画像成分信号Ｒ（赤）、Ｇ（緑）及びＢ（青）を有すると仮定する。任意のガンマ補正回路ＤＧは、入力画像成分信号Ｒ、Ｇ、Ｂを受信し、補正信号ＲＧ、ＧＧ、ＢＧを夫々供給する。低域通過フィルタＬＰＦは、補正信号ＢＧを受信し、低域通過フィルタをかけられた入力画像信号ＢＦを任意のガンマ回路ＧＡへ供給する。任意の高周波ブーストフィルタＨＦは、補正信号ＲＧ及びＧＧを受信し、高周波に引き上げられた信号ＲＦ及びＧＦを任意のガンマ回路ＧＡへ供給する。高周波ブースティングは、高周波ブーストフィルタＨＦの夫々の入力信号をその高域通過フィルタをかけられた入力信号へ加えることによって得られても良い。この任意の高周波ブースティングフィルタＨＰＦは、画像表示の鮮明さを向上させ、また、低域通過フィルタによって引き起こされた鮮明さの低下を補償しうる。ガンマ回路ＧＡは、出力信号ＦＲ、ＦＧ及びＦＢをデータドライバＤＤへ供給する。
【００１９】
ガンマ補正回路ＤＧは、入力画像信号ＩＶを処理して、それから予備ガンマ補正を取り除く。このような予備ガンマ補正は、通常は存在しており、そもそも陰極線管のガンマを予め補償するよう意図されていた。このようにして、補正信号ＲＧ、ＧＧ、ＢＧは、線光領域に存在する。結果として、有利に、低域通過フィルタ処理及び高周波ブースティングフィルタ処理は、線光領域で実行される。ガンマ回路ＧＡは、フィルタ処理された信号ＲＦ、ＧＦ、ＢＦを処理して、使用される表示パネル１に適合する予備ガンマ補正を加える。
【００２０】
低域通過フィルタＬＰＦ及び高周波ブーストフィルタＨＦは、入力画像成分信号Ｒ、Ｇ、Ｂを調整する標準的な映像スケーラの一部であっても良い。また、入力画像成分信号Ｒ、Ｇも、低域通過フィルタをかけられても良いが、それ故に、低域通過フィルタをかけられた信号ＢＦ及びＦＢは、出力信号ＲＦ、ＦＲ及びＧＦ、ＦＧの帯域よりも小さくなるべきである。ガンマ補正回路ＤＧ及びガンマ回路ＧＡは、周知のルックアップテーブルとして実施されても良い。ガンマ補正回路ＤＧ及びガンマ回路ＧＡが存在しないならば、入力画像成分信号Ｂは、低域通過フィルタをかけられ、直接的にデータドライバＤＤへ入力される。更に、高周波ブースティングフィルタＨＦも存在しないならば、入力画像成分信号Ｒ及びＧは、データドライバＤＤへ直接的に入力される。
【００２１】
図１で、データドライバは、三原色を表す出力信号ＦＲ、ＦＧ及びＦＢを受信する。全色表示では、発光素子の３よりも多い異なる組が存在しても良く、それらの発光素子の組は、夫々、対応する出力信号によって駆動される。全色表示が必要とされないならば、２つの出力信号ＦＲ及びＦＢで十分でありうる。ＬＥＤ  ＰＬ１のグレーレベルは、ＬＥＤ  ＰＬ１を流れる電流Ｉ１のレベルによって決定される。この電流Ｉ１は、画素駆動回路ＰＤ１に結合されたデータ電極ＤＥ上のデータ信号ＲＤ１のレベルによって決定される。ＬＥＤ  ＰＬ２のグレーレベルは、ＬＥＤ  ＰＬ２を流れる電流Ｉ２のレベルによって決定される。この電流Ｉ２は、画素駆動回路ＰＤ２に結合されたデータ電極ＤＥ上のデータ信号ＢＤ１のレベルによって決定される。
【００２２】
タイミング制御器ＴＣは、入力画像信号ＩＶに関連する同期信号ＳＹを受信し、制御信号ＣＲを選択ドライバＳＤへ、制御信号ＣＣをデータドライバＤＤへ供給する。制御信号ＣＲ及びＣＣは、出力信号ＦＲ、ＦＧ、ＦＢが、関連する画素１０の行が選択された後にデータ電極ＤＥへ送られるように、選択ドライバＳＤ及びデータドライバＤＤの動作を同期させる。通常、タイミング制御器ＴＣは、選択ドライバＳＤを制御して、選択電圧を（一般的にアドレスラインとも呼ばれる）選択電極ＳＥへ供給して、画素１０の行を１つずつ選択（又はアドレス指定）する。実際には、（画素１０の行である）表示行ごとの更なるアドレスラインが、例えば、ＬＥＤのＰＬ１、ＰＬ２へ供給される電流Ｉ１、Ｉ２のデューティーサイクルを夫々制御するために、使用されても良い。同時に画素１０の１よりも多い行を選択することが可能である。タイミング制御器ＴＣは、データドライバＤＤを制御して、画素１０の選択された行へ並列にデータ信号ＲＤ１及びＢＤ１を供給する。低域通過フィルタＬＰＦの効果については、図３に関して明らかにする。
【００２３】
表示パネル１は、画素１０を有するよう定義される。実用的な実施例では、表示パネル１は、また、ドライバ回路ＤＤ、ＳＤ及びＴＣの全て又は幾つかを有しうる。ドライバ回路及び表示パネルのこの組合せは、しばしば、表示モジュールと呼ばれる。この表示モジュールは、例えば、テレビ受像機、コンピュータ表示装置、ゲーム機などの多数の表示装置で、又は、ＰＤＡ（パーソナル・デジタル・アシスタント）若しくは携帯電話などの携帯端末で使用されうる。
【００２４】
データ信号ＢＤ１で低域通過フィルタ処理を実行することが可能である。しかし、これは、フィルタ処理が光線形領域では（即ち、所望の光出力又は輝度を直接的に表す値で）実行されないという欠点を有する。データドライバＤＤからの信号ＢＤ１は、画素回路が非線形伝達関数を有するので、光線形領域にはない。ある映像スケーラは、予め、線光領域で機能しており、従って、低域通過フィルタ処理のためにも使用可能である。映像スケーラは、信号ＦＲ及びＦＢをデータドライバＤＤへ供給する。また、高周波ブーストフィルタＨＦは、信号ＲＧ及び／又はＧＧの代わりに、信号ＲＤ１及び／又はＧＤ１を処理するよう再配置されても良い。
【００２５】
データドライバＤＤ、任意のガンマ回路ＧＡ、任意の高周波ブースティングフィルタＨＦ、低域通過フィルタＬＰＦ、及び任意のガンマ補正回路ＤＧは、データ処理装置ＤＲによって集合的に示されている。
【００２６】
図２は、発光素子を流れる電流を発生させる画素駆動回路の実施例を示す。図１に示された画素駆動回路ＰＤ１及びＰＤ２、発光素子ＰＬ１及びＰＬ２、並びに電流Ｉ１及びＩ２は、図２では、画素駆動回路ＰＤ、ＬＥＤ  ＰＬ、及び電流Ｉと集合的に呼ばれる。画素駆動回路ＰＤは、トランジスタＴ２の主要電流経路と、ＬＥＤ  ＰＬとの直列配置を有する。トランジスタＴ２は、ＦＥＴであるように示されているが、如何なる他のトランジスタ形式であっても良く、ＬＥＤ  ＰＬは、ダイオードとして表されているが、他の電流駆動型発光素子であっても良い。直列配置は、電源電極ＰＥと接地（絶対接地、又は、例えば共通電圧のようなローカル接地のいずれか一方）との間に配置されている。トランジスタＴ２の制御電極は、キャパシタＣと、トランジスタＴ１の主要電流経路の端子との接点へ接続されている。トランジスタＴ１の主要電流経路の他の端子は、データ電極ＤＥへ接続されており、トランジスタＴ１の制御電極は、選択電極ＳＥへ接続されている。トランジスタＴ１は、ＦＥＴであるように示されているが、他のトランジスタ形式であっても良い。キャパシタＣの依然として空いている端子は、電源電極ＰＥへ接続される。
【００２７】
以下、回路の動作について明らかにする。画素１０の行が、画素１０のこの行が結合された選択電極ＳＥ上の適切な電圧により選択される場合に、トランジスタＴ１は導通する。ＬＥＤ  ＰＬの所要の光出力を示すレベルを有するデータ信号Ｄは、トランジスタＴ２の制御電極へ入力される。トランジスタＴ２は、データレベルに従ってインピーダンスを得て、所望の電流ＩがＬＥＤ  ＰＬを流れ始める。画素１０の行の選択期間の後に、選択電極ＳＥ上の電圧は、トランジスタＴ１が高抵抗となるよう変更される。キャパシタＣに蓄積されているデータ電圧Ｄは、保持されて、ＬＥＤ  ＰＬを流れる所望の電流Ｉを得るようトランジスタＴ２を駆動する。電流Ｉは、選択電極ＳＥが再び選択されて、データ電圧Ｄが変更される場合に変化しうる。
【００２８】
電流Ｉは、電源電圧ＶＢを抵抗器Ｒｔを介して受け取る電源電極ＰＥによって供給されるべきである。抵抗器Ｒｔは、示される画素１０へと向かう電源電極の抵抗を表す。留意すべきは、同じ電源電極ＰＥに結合された他の画素１０も電流を搬送する点であり、この電流はＩｏによって表されている。電流Ｉｄ及びＩｏは、両方とも、抵抗器Ｒｔを流れ、従って、電源電極ＰＥでの電圧降下を引き起こす。画素駆動回路ＰＤは、トランジスタＴ２の主要電流経路とＬＥＤ  ＰＬとの直列配置の両端の電圧Ｖｐが電流Ｉを得られるほど十分に高い場合にのみ、正確に機能しうる。
【００２９】
画素駆動回路ＰＤは、図２に示される以外の構成を有しても良い。例えば、ある代わりの画素駆動回路ＰＤは、ＳＩＤ０２ダイジェスト、９６８〜９７１頁、Ｄ．フィッシュ等、公報「アクティブマトリクス高分子／有機ＬＥＤ表示装置用の画素回路の比較（Ａ  Ｃｏｍｐａｒｉｓｏｎ  ｏｆ  Ｐｉｘｅｌ  Ｃｉｒｃｕｉｔｓ  ｆｏｒ  Ａｃｉｔｖｅ  Ｍａｔｒｉｘ  Ｐｏｌｙｍｅｒ／Ｏｒｇａｎｉｃ  Ｄｉｓｐｌａｙｓ）」に開示される。
【００３０】
図３は、発光素子ＰＬを流れる電流におけるデータ信号の低域通過フィルタ処理の効果を示す。図３Ａ及び図３Ｂのいずれにおいても、横軸は画素位置ＰＰを表し、縦軸はＬＥＤ  ＰＬ２を流れる電流Ｉ２を表す。図３Ａは、データ信号ＢＤ１が低域通過フィルタ処理をなされずに画素駆動回路ＰＤ２へ供給される場合に発光素子ＰＬ２を流れる電流Ｉ２を示す。電流Ｉ２は、特定の画素位置Ａでは画素１０にとって比較的高い値Ｌｈを有し、隣接した画素位置Ｂでは比較的低い値Ｌｌを有する、とする。図３Ｂは、低域通過フィルタをかけられたデータ信号ＢＤ１が画素駆動回路ＰＤ２へ供給される場合の電流Ｉ２を示す。この場合に、本例では、画素位置Ａ及びＢの両方で、同じ電流レベルＬが、関連する画素１０へ供給される。電流レベルＬは、電流レベルＬｈ及びＬｌの平均値である。当然、他の低域通過フィルタ処理は、電流レベルＬｈがより低くなり、電流レベルＬｌがより高くなるが、等しくはない場合に、可能である。
【００３１】
発光素子ＰＬ２のエージングに対する様々なレベルの電流Ｉ２の影響を明らかにするよう、変化する画像コンテンツに起因して、低域通過フィルタがなされない場合に、特定の発光素子ＰＬ２を流れる電流Ｉ２は二者択一的に値Ｌｈ及びＬｌを有し、一方、他の発光素子ＰＬ２は、常に電流Ｌを受けるとする。発光素子ＰＬ２は、高い電流レベルに対して特に速く経年劣化するので、電流Ｌｈ及びＬｌ（図３Ａ）によって引き起こされる総体的なエージングは、電流Ｌ及びＬ（図３Ｂ）によって引き起こされる総体的なエージングよりも高い。このことについて、以下で説明する。
【００３２】
高分子材の寿命ＬＴは、時間Ｔ及び輝度ＬＵに依存して、
ＬＴ〜ＬＵ−ｐ／Ｔ
により求められる。ここで、ｐは、材料に依存する力率である。留意すべきは、輝度ＬＵと電流Ｉ２との間の関係はおおよそ線形である点である。１．６の典型的な力率を用いると、図３Ａに従って駆動される特定の発光素子ＰＬ２の寿命ＬＴ１と、図３Ｂに従って駆動される他の発光素子ＰＬ２の寿命ＬＴ２とは、（Ｌ＝０．５Ｌｈ、及び、Ｌｌ＝０である場合に）およそ
ＬＴ１〜（２＊Ｌｈ−１．６）／Ｔ
ＬＴ２〜（３＊Ｌｈ−１．６）／Ｔ
である。従って、図３Ａで示されるように駆動される画素Ａ及びＢは、図３Ｂで示されるように駆動される画素Ａ及びＢよりも一層速く経年劣化する。
【００３３】
この見識に基づいて、本発明は、低域通過フィルタＬＰＦを導入する。低域通過フィルタＬＰＦは、電流Ｉ２のレベルを平均化し、従って、この電流の高ピーク電流の発生を制限する。低域通過フィルタ処理は、発光素子ＰＬ２が発光素子ＰＬ１よりも速く経年劣化する場合に特に適切である。表示装置の寿命は、発光素子ＰＬ２が、より低いピーク電流により駆動されるので増大する。
【００３４】
更に、発光素子ＰＬ２の差動エージングは、電流Ｉ２の急な遷移が平滑化されるので小さくなり、結果として、大きなエージング差は、隣接する画素ＡとＢの間では生じない。従って、低域通過フィルタ処理により、画素間の大きな輝度変動は減少し、現在のところＯＬＥＤ表示装置において大問題である差動エージングは低減される。その低減は、全ての種類の有機ＬＥＤ材（高分子及び小分子ＯＬＥＤ）を有し、更に、１よりも小さい力率ｐを有する表示装置において得られる。留意すべきは、力率が１よりも大きい小分子材も知られている点である。更に、差動エージングは、また、例えば、無機電界効果表示装置及びプラズマ表示装置のような他の表示装置においても低減することが可能である。
【００３５】
寿命ＬＴ１及びＬＴ２を決定する式から、寿命ＬＴ２は、力率ｐが１よりも大きいことを保つ全ての表示パネルに関して、寿命ＬＴ１よりも長いことが明らかである。ＯＬＥＤ表示装置では、青色画素が最も短い寿命を有しており、従って、青色データ信号は、青色画素の寿命、ひいては表示パネルの寿命を延ばすよう低域通過フィルタをかけられる。人間の視覚システムは、可視スペクトラムの青色部分において、より低い分解能でしか分解できないので、青色データの分解能の損失は、見ている者によって全く又はほとんど認識されない。
【００３６】
図４は、低域通過フィルタの実施例を示す。低域通過フィルタＬＰＦのデジタル実施は、補正信号ＢＧを受信して、画素周期Ｔｐに亘って遅延された補正信号ＢＧである遅延信号ＤＤ１を供給するする遅延段Ｄ１を有する。通常、画素周期Ｔｐは、行にある画素１０の数と、行選択時間との比率である存続期間を有する。乗算器Ｃ１は、補正信号ＢＧに係数１／２を乗じて、乗算信号ＭＤ１を得る。乗算器Ｃ２は、遅延データ信号ＤＤ１に係数１／２を乗じて、乗算信号ＭＤ２を得る。加算回路Ａ１は、乗算信号ＭＤ１及びＭＤ２を足し合わせて、低域通過フィルタをかけられた入力画像信号ＢＦを得る。乗算器Ｃ１及びＣ２は、実際にはビットシフタである。しかし、２の累乗ではない他の乗算係数Ｃ１及びＣ２が使用されるならば、単純なビットシフタを用いることができない。この低域通過フィルタＬＰＦは、夫々の画素１０に関して、低域通過フィルタをかけられた入力画像信号ＢＦのレベルを決定する。このレベルは、前の画素の補正信号ＢＧ（従って、ＤＤ１の値）の半分のレベルと、現在の画素の補正信号ＢＧの半分のレベルとの和である。
【００３７】
図５は、低域通過フィルタの他の実施例を示す。低域通過フィルタのこのデジタル実施は、補正信号ＢＧを受信して、画素周期Ｔｐに亘って遅延された補正信号ＢＧである遅延データ信号ＤＤ１０を供給する遅延段Ｄ１０を有する。遅延段Ｄ１１は、遅延データ信号ＤＤ１０を受信し、Ｎ−１の画素周期Ｔｐに亘って遅延された遅延データ信号ＤＤ１０である遅延データ信号ＤＤ１１を供給する。ここで、Ｎは、１つの行における画素１０の数である。遅延段Ｄ１２は、遅延データ信号ＤＤ１１を受信し、画素周期Ｔｐに亘って遅延された遅延データ信号ＤＤ１１である遅延データ信号ＤＤ１２を供給する。乗算器Ｃ１０は、補正信号ＢＧに係数１／４を乗じて、乗算信号ＭＤ１０を得る。乗算器Ｃ１１は、遅延データ信号ＤＤ１０に係数１／４を乗じて、乗算信号ＭＤ１１を得る。乗算器Ｃ１２は、遅延データ信号ＤＤ１１に係数１／４を乗じて、乗算信号ＭＤ１２を得る。乗算器Ｃ１３は、遅延データ信号ＤＤ１２に係数１／４を乗じて、乗算信号ＭＤ１３を得る。加算回路Ａ１０は、乗算信号ＭＤ１０からＭＤ１３を足し合わせて、低域通過フィルタをかけられた入力画像信号ＢＦを得る。先と同じく、乗算器Ｃ１０からＣ１３は、実際にはビットシフタである。
【００３８】
この低域通過フィルタは、夫々の画素に関して、低域通過フィルタをかけられた入力画像信号ＢＦのレベルを決定する。このレベルは、前の画素の補正信号ＢＧの４分の１のレベルと、一列前で、前の画素の隣の画素の補正信号ＢＧの４分の１と、一列前で、現在の画素の隣の画素の補正信号ＢＧのレベルの４分の１と、現在の画素の補正信号ＢＧのレベル４分の１との合計である。
【００３９】
代替的に、他の好ましい実施例では、乗算器Ｃ１０からＣ１３は、係数１／２、１／６、１／６及び１／６を夫々乗じても良い。しかし、係数の多数の他の選択は、有利な低域通過フィルタ特性を提供しうる。
【００４０】
留意すべきは、上述した実施例は、本発明を限定しているのではなく、むしろ説明しており、当業者は、添付の特許請求の範囲の適用範囲を損なうことなく多数の代わりの実施例を設計できるであろう点である。
【００４１】
例えば、図４及び５に関して明らかとされた実施例よりも更に多くの低域通過フィルタが可能である。乗算器係数のもう２、３の実施例は、本明細書の最後に示す表１に与えられている。表１は、実験で用いられたフィルタ係数を示す。左端の列は、フィルタの数を示。その隣の列は、係数の総体的な重み付けを示しており、従って、係数の夫々１つが割られるべき因数である。一番上の行は、関連する画素位置を言及する指標を有する係数Ｃを示す。Ｃ０は、平均値が決定されるべき現在の画素の位置であり、Ｃ−１は、（同じ行で）現在の画素の直前の画素のレベルが乗じられるべき係数であり、Ｃ１は、（同じ行で）現在の画素の直後の画素のレベルが乗じられるべき係数であり、以下同様に続く。同じ係数は、２次元空間低域通過フィルタ処理が適用される場合に、垂直方向で使用されうる。被験者は、フィルタ１から６が青色データ信号で用いられた場合に、ＰＬＥＤ表示装置に表示されたテスト画像の如何なる分解能損失も検出せず、あるいは、無視可能な分解能損失のみを検出しない。
【００４２】
代替的に、アナログ低域通過フィルタが使用されても良い。本発明は、また、例えば、無機電界発光表示装置又はプラズマ表示装置のような、エージング効果が生ずるところの他の表示装置でも適用されうる。
【００４３】
特許請求の範囲において、括弧内に置かれた如何なる参照符号も、請求を限定するように解釈されるべきではない。動詞「有する」及びその活用形の使用は、請求項に挙げられた以外の要素又はステップの存在を除外するわけではない。要素の前に置かれた冠詞「１つの」は、このような要素の複数個の存在を除外するわけではない。本発明は、幾つかの個別素子を有するハードウェアにより、及び適切にプログラムされたコンピュータにより、実現されても良い。幾つかの手段を列挙している装置クレームで、それらの手段の幾つかは、ハードウェアの同一の物品によって具現化されても良い。ある手段が相互に異なる従属請求項に挙げられているという単なる事実は、これらの手段の組合せが有利に用いられないことを示しているわけではない。
【００４４】
以下、表１は、実験で使用されたフィルタ係数を示す。
【００４５】
【表１】
2008500572.tif 000003
【図面の簡単な説明】
【００４６】
【図１】発光素子を有する表示パネルを備えた表示装置を概略的に示す。
【図２】関連する発光素子を流れる電流を発生させるための画素駆動回路の実施例を示す。
【図３】Ａ及びＢは、発光素子を流れる電流におけるデータ信号の低域通過フィルタ処理の効果を示す。
【図４】低域通過フィルタの実施例を示す。
【図５】低域通過フィルタの他の実施例を示す。
【図１】
2008500572.tif 000004
【図２】
2008500572.tif 000005
【図３Ａ】
2008500572.tif 000006
【図３Ｂ】
2008500572.tif 000007
【図４】
2008500572.tif 000008
【図５】
2008500572.tif 000009
【国際調査報告】
2008500572.tif 000010
2008500572.tif 000011
2008500572.tif 000012